(57)【要約】【課題】ＳＤカードのような小型薄板状の記憶媒体であっても、ケース外からの指先きの押動によるワンタッチ操作で取り出し可能な保持手段を備えた小物品収納ケースの提供を図る。【解決手段】小型記憶媒体３０は両側縁がガイドリブ１９で挟持されて、小物品送り出し手段１０を構成する板状体１１上に定置された状態で収納ケース１内に保持，保管される。板状体１１のケース外に露出した押動操作部１６を押動すると、板状体１１がガイドリブ１９に沿って送り出し方向に移動し、小型記憶媒体３０が収納ケース１の搬出口６からケース外に搬出されて、これを簡単に取り出すことができる。【選択図】図２
2011025975.tif 000002
【特許請求の範囲】
【請求項１】
開閉可能な一対のケース要素からなる硬質合成樹脂製の収納ケースであって、
前記ケース要素の一方は、その内側に一方向に可動的に配設され、板状の小物品を載置して収納ケース外から一方向に押動されることにより、該板状の小物品を収納ケース外に搬出可能な小物品送り出し手段と、
前記小物品送り出し手段に載置された板状の小物品の、少くとも該小物品送り出し手段の移動方向と直交する方向の側縁に係止してこれを保持可能なガイドリブと、を備える一方、
前記収納ケースは、前記板状の小物品の送り出し方向前方に対応する側壁に、前記板状の小物品の搬出口を備えていることを特徴とする小物品の収納ケース。
【請求項２】
前記小物品送り出し手段は、前記一方のケース要素の天蓋部の一側縁に複数の連接片からなる屈伸可能なヒンジ部を介して一体に連設された板状体で構成され、
前記板状体は、前記屈伸可能なヒンジ部との連設部に隣接して収納ケース外に露出する押動操作部と、
前記押動操作部に連設されて前記板状の小物品を載置可能な棚部と、
前記棚部の後端に立上がり形成されて前記棚部上に載置された板状の小物品の端縁に係止するストッパー部と、を備え、
前記板状体が、前記屈伸可能なヒンジ部の屈伸作用により、前記天蓋部と平行に移動可能とされていることを特徴とする請求項１に記載の小物品の収納ケース。
【請求項３】
前記板状体のストッパー部が、前記棚部上に載置される板状の小物品の厚み寸法よりも高く形成されていることを特徴とする請求項２に記載の小物品の収納ケース。
【請求項４】
前記板状体の棚部とストッパー部とが、外径の大，小サイズが異なる板状の小物品をそれぞれ載置可能に、該板状体の先端部側から順に小サイズ用から大サイズ用にステップ状に変化して多段に形成されていることを特徴とする請求項３に記載の小物品の収納ケース。
【請求項５】
前記ガイドリブは、前記板状体の下段の棚部上に載置されるサイズの小さな板状の小物品用のガイドリブの外側に、前記下段の棚部に隣接する上段の棚部上に載置されるサイズの大きな板状の小物品用のガイドリブが径方向にこの順に形成されていることを特徴とする請求項４に記載の小物品の収納ケース。
【請求項６】
前記径方向内側のガイドリブの上縁が、隣接する径方向外側のガイドリブに保持される上段側の板状の小物品を載置してその摺動ガイドを兼ねることを特徴とする請求項５に記載の小物品の収納ケース。
【請求項７】
前記板状体の下面と、前記一方のケース要素の天蓋部内面とに、相互に係合して板状体の一方向の移動を案内する抜け止めを兼ねたガイドレール機構が一体成形されていることを特徴とする請求項２〜６の何れか１つに記載の小物品の収納ケース。
【発明の詳細な説明】
【技術分野】
【０００１】
本発明は、ＳＤカードのような小型薄板状の記憶媒体等の板状の小物品の収納用に使用して好適な小物品の収納ケースに関する。
【背景技術】
【０００２】
ＳＤカードのような小型薄板状の記憶媒体は、例えば特許文献１に示されているような薄型のＣＤ収納ケースに収納保管して、携行利便性を良好にできることが望まれる。
【先行技術文献】
【特許文献】
【０００３】
【特許文献１】実用新案登録第３１１８８７５号
【発明の概要】
【発明が解決しようとする課題】
【０００４】
前記特許文献１に示されたＣＤ収納ケースは、２つ折り状に開閉可能な一対の薄型のケースで構成され、一方のケース内面に設けられた係着部にＣＤを弾性的に係脱可能に係着保持するように構成されている。
【０００５】
しかし、ＳＤカードは前記ＣＤに較べてサイズが小さく、前記ＣＤ収納ケースにおける係着部と同様な保持手段で弾性的に係着保持させようとした場合、取り出し時に係着が外れにくくなって取扱いが煩わしくなってしまう可能性がある。
【０００６】
そこで、本発明はＳＤカードのような小型薄板状の記憶媒体であっても、ケース外からの指先きの押動によるワンタッチ操作で取り出し可能な保持手段を備えた小物品の収納ケースを提供するものである。
【課題を解決するための手段】
【０００７】
本発明の小物品の収納ケースは、開閉可能な一対のケース要素からなる硬質合成樹脂製の収納ケースであって、前記ケース要素の一方は、その内側に一方向に可動的に配設され、板状の小物品を載置して収納ケース外から一方向に押動されることにより、該板状の小物品を収納ケース外に搬出可能な小物品送り出し手段と、前記小物品送り出し手段に載置された板状の小物品の、少くとも該小物品送り出し手段の移動方向と直交する方向の側縁に係止してこれを保持可能なガイドリブと、を備える一方、前記収納ケースは、前記板状の小物品の送り出し方向前方に対応する側壁に、前記板状の小物品の搬出口を備えていることを主要な特徴としている。
【０００８】
前記板状の小物品は、その対向する一対の側縁がガイドリブで挟持されて、小物品送り出し手段上に定置された状態で収納ケース内で遊動することなく確実に保持される。そして、前記板状の小物品の取り出しに際しては、収納ケースの外側から前記小物品送り出し手段を一方向に押動することにより、板状の小物品が前記ガイドリブに沿って摺動して収納ケースの搬出口からケース外に搬出され、これを簡単に取り出すことが可能となる。
【発明の効果】
【０００９】
本発明によれば、板状の小物品を小物品送り出し手段上に載置した状態で、その両側縁をガイドリブで挟持した状態にして収納ケース内に確実に保持できると共に、その取り出しに際しては収納ケースを開蓋することなく、該収納ケースの外側から小物品送り出し手段を一方向に押動するワンタッチ操作で該板状の小物品を収納ケースの搬出口からケース外に搬出できて、これを簡単に取り出すことができる。
【図面の簡単な説明】
【００１０】
【図１】本発明に係る収納ケースを開いて小物品送り出し手段を展開して示す斜視図。
【図２】図１に示した小物品送り出し手段を組立てた状態を示す斜視図。
【図３】外径サイズの各異なる板状の小物品を収納した状態を（Ａ），（Ｂ），（Ｃ）にて示す斜視図。
【図４】板状の小物品の収納状態（Ａ）と、板状の小物品の押し出し状態（Ｂ）とで示す収納ケースの斜視図。
【図５】板状の小物品の収納状態（Ａ）と、板状の小物品の押し出し状態（Ｂ）とで示す収納ケースの断面図。
【発明を実施するための形態】
【００１１】
以下、本発明の一実施形態を図面と共に詳述する。
【００１２】
図１〜図４に示す実施形態の収納ケース１は、小物品としてＳＤカードのように小型薄板状の略方形に形成された小型記憶媒体を収納する保護ケースとして用いられる。
【００１３】
この収納ケース１は、適宜の硬質合成樹脂からなる一対のケース要素２，３を備えている。
【００１４】
これらのケース要素２，３は、薄肉に形成されて可撓屈曲性が付与されたヒンジ部４を介して一体に連設されていて、該ヒンジ部４で２つ折りされて相互に開閉可能とされている。
【００１５】
本実施形態では、前記ケース要素２，３は幅，奥行きが同サイズに形成され、各天蓋部２ａ，３ａの前記ヒンジ部４を除く３側縁に周壁２ｂ，３ｂが一体成形されている。
【００１６】
これらの周壁２ｂ，３ｂは、ケース要素２，３を閉じた際に、前記ヒンジ部４側の所要領域では端縁同士が突き合わされ、残る領域ではケース要素２の周壁２ｂがケース要素３の周壁３ｂに外接嵌合可能なように、該周壁２ｂが途中から高く形成されている一方、周壁３ｂには途中から周壁２ｂの板厚相当で内側にオフセットした段差が形成されている。
【００１７】
前記ケース要素２の一側中央部には、前記周壁２ｂから天蓋部２ａに部分的に入り込んだ切欠窓５が形成され、該切欠窓５から後述する小物品送り出し手段１０の押動操作部１６が収納ケース１外に露出可能とされている。
【００１８】
また、このケース要素２の前記切欠窓５を形成した側部と反対側の側部の中央部分には、所要の凹設深さで凹欠部２Ａが設けられ、その中央部分には周壁２ｂに前記小物品としての小型記憶媒体３０を収納ケース１内から搬出するための搬出口６を形成する切欠部６ａが設けられている。
【００１９】
前記切欠部６ａには、天蓋部２ａの側縁に前記ヒンジ部４と同様の薄肉のヒンジ部８を介してリッド７が一体に連設され、前記搬出口６を該リッド７で開閉するように構成されている。
【００２０】
このリッド７の両側縁の端末近傍には、切欠部６ａの両側縁の内面側に自体の弾性で係脱可能なロック用の爪部９が突設されている。
【００２１】
一方、ケース要素３の前記ケース要素２の凹欠部２Ａを形成した側部に対応した側の側部には、前記凹欠部２Ａが外接嵌合可能な凹欠部３Ａが設けられ、その中央部分には周壁３ｂに前記切欠部６ａと共に前記搬出口６を形成する切欠部６ｂが設けられている。
【００２２】
そして、このケース要素３には、その内側に一方向（図１の紙面の左右方向）に可動的に配設され、前記小型記憶媒体３０を載置して収納ケース１の外側から前記一方向に押動されることにより、該小型記憶媒体３０を前記搬出口６から収納ケース１外に搬出可能な小物品送り出し手段１０が設けられている。
【００２３】
前記ケース要素３の前記凹欠部３Ａを形成した側と反対側の側部の中央部分には、周壁３ｂから天蓋部３ａに部分的に入り込んだ切欠部３ｃが形成されている。
【００２４】
本実施形態では前記小物品送り出し手段１０が、前記切欠部３ｃの部分でケース要素３に一体に連設された短冊状の板状体１１で構成されている。
【００２５】
この板状体１１は、前記天蓋部３ａの側縁に複数の連設片１３，１４からなる屈伸可能なヒンジ部１２を介して一体に連設されている。
【００２６】
連接片１３，１４は薄肉に形成されて可撓屈曲性が付与されてヒンジ機能を有する３条の連設部１５を節として収納ケース１の内，外方向に弾性的に屈伸可能に構成されている。
【００２７】
天蓋部３ａに隣接した連接片１３は、該天蓋部３ａとの連設部１５ａから該天蓋部３ａの一般部（切欠部３ｃのない部分）の外縁までに相当する形成幅に設定され、また、連接片１４は連接片１３との連設部１５ｂから収納ケース１の全高（ケース要素２Ａの天蓋部２ａの外面からケース要素３Ａの天蓋部３ａの外面に至る寸法）に相当する形成幅に設定されていて、前記連接片１３が前記切欠部３ｃの形成部分で天蓋部３ａの一部を構成し、連接片１５が前記切欠窓５と切欠部３ｃの形成部分で収納ケース１の側壁が構成されるようにしている。
【００２８】
一方、前記板状体１１は、前記屈伸可能なヒンジ部１２との連設部１５ｃに隣接して前記ケース要素２Ａの切欠窓５から収納ケース１外に露出する押動操作部１６と、該押動操作部１６に連設されて前記小型記憶媒体３０を載置可能な棚部１７と、該棚部１７の後端に立上がり形成されて該棚部１７上に載置される前記小型記憶媒体３０の端縁に係止するストッパー部１８と、を備えている。
【００２９】
前記ストッパー部１８は、前記棚部１７上に載置される小型記憶媒体３０の厚み寸法よりも僅かに高く形成されていて、上端縁が小型記憶媒体３０の上面よりも僅かに突出するように構成されている（図５参照）。
【００３０】
また、前記ケース要素３には、その天蓋部３ａの内面に一体に立設されて、前記小物品送り出し手段１０を構成する板状体１１上に載置された小型記憶媒体３０の少くとも該板状体１１の移動方向と直交する方向の側縁に係止してこれを保持可能な一対のガイドリブ１９が設けられている。
【００３１】
前記ガイドリブ１９は、その上端縁が前記板状体１１のストッパー部１８の上縁とほぼ面一に整合する高さに形成されている。
【００３２】
また、前記板状体１１の下面と、前記ケース要素３の天蓋部３ａの内面とに、相互に係合して板状体１１の一方向の移動を案内するガイドレール機構２０が一体成形されている。
【００３３】
このガイドレール機構２０は、前記天蓋部３ａと板状体１１の一方に一体成形されたレール部２０ａと、他方に一体成形されたガイド突起２０ｂとで構成され、両者が例えば相互に摺動可能にアリ溝係合されて、板状体１１の抜け止めの機能を併有している（図１参照）。
【００３４】
ここで、本実施形態では前記板状体１１の棚部１７とストッパー部１８とが、外径の大，小サイズが異なる小型記憶媒体３０Ａ，３０Ｂ，３０Ｃをそれぞれ載置可能に、該板状体１１の先端側から順に小サイズ用から大サイズ用にステップ状に１７Ａ，１８Ａと、１７Ｂ，１８Ｂと、１７Ｃ，１８Ｃと変化して多段に形成されている。
【００３５】
これに伴って前記ガイドリブ１９は、前記外径サイズの異なる小型記憶媒体３０Ａ，３０Ｂ，３０Ｃ用のガイドリブ１９Ａ，１９Ｂ，１９Ｃが、径方向にこの順に形成、つまり、小サイズ用のガイドリブ１９Ａの外側に中サイズ用のガイドリブ１９Ｂが、また該中サイズ用のガイドリブ１９Ｂの外側に大サイズ用のガイドリブ１９Ｃがこの順に径方向に形成されている。
【００３６】
前記ガイドリブ１９Ａ，１９Ｂ，１９Ｃの後端は、何れも対応する小型記憶媒体３０Ａ，３０Ｂ，３０Ｃの後端縁に係止可能なようにそれぞれ内向きに曲折成形されている。
【００３７】
本実施形態では前述のように、板状体１１のステップ状多段形成およびガイドリブ１９の径方向多段構成としてあることにより、前記ガイドレール機構２０は、例えばそのレール部２０ａが最内側の一対のガイドリブ１９Ａ間の中央位置で天蓋部３ａの内面に一体に突設され、ガイド突起２０ｂが板状体１１の最下段の棚部１７Ａの下面に一体に突設されている。
【００３８】
なお、図１，図２中、２１は前記ケース要素２，３の周壁２ｂ，３ｂの自由端側の嵌合摺接面相互に設けられて、係脱可能に弾性的に凹凸係合するロック部、２２はケース要素２，３の天蓋部２ａ，３ａの自由端側の側辺部に延設された開蓋時の指掛け用の突片を示す。
【００３９】
以上の実施形態の構成により、小サイズの小型記憶媒体３０Ａは、図３（Ａ）に示すように小サイズ用の一対のガイドリブ１９Ａ間に内接挿入して板状体１１の最下段の棚部１７Ａ面上に載置される。
【００４０】
中サイズの小型記憶媒体３０Ｂは、図３（Ｂ）に示すように中サイズ用の一対のガイドリブ１９Ｂ間に内接挿入して板状体１１の中段の棚部１７Ｂ面上と小サイズ用の一対のガイドリブ１９Ａの上端面上とに跨って載置される。
【００４１】
大サイズの小型記憶媒体３０Ｃは、図３（Ｃ）に示すように大サイズ用の一対のガイドリブ１９Ｃ間に内接挿入して板状体１１の最上段の棚部１７Ｃ面上と中サイズ用の一対のガイドリブ１９Ｂの上端面上とに跨って載置される。
【００４２】
従って、本実施形態では前記小サイズ用のガイドリブ１９Ａの上端面が中サイズの小型記憶媒体３０Ｂの摺動ガイドを兼ね、中サイズ用のガイドリブ１９Ｂの上端面が大サイズの小型記憶媒体３０Ｃの摺動ガイドを兼ねる。
【００４３】
前記小型記憶媒体３０Ａ，３０Ｂ，３０Ｃは、何れも対応する一対のガイドリブ１９Ａ，１９Ｂ，１９Ｃに内接挿入されることにより、相互のフリクションによって板状体１１の棚部１７面上に遊動することなく確実に保持される。
【００４４】
小型記憶媒体３０を前述のように一対のガイドリブ１９と板状体１１の棚部１７とにより保持した状態でケース要素２，３を閉じれば、前記搬出口６はリッド７で閉塞され、ケース要素２の切欠窓５およびケース要素３の切欠部３Ｃは、連接片１３，１４とこれに連なる板状体１１の押動操作部１６とにより閉塞される。
【００４５】
従って、収納ケース１内に収納した小型記憶媒体３０を塵埃等の付着や衝撃，外圧等から保護することが可能となる。
【００４６】
前記ケース要素２のリッド７は前記凹欠部２Ａ内の窪んだ位置にあるので、収納ケース１の携行時等に衣服等に引掛かってみだりに開動されることはない。
【００４７】
また、このリッド７が閉蓋して爪部９によりロックした状態であれば、該リッド７により板状体１１の押動が拘束されるので、収納ケース１の携行時等に板状体１１の押動操作部１６に押動方向に軽く外圧が掛かった程度では、リッド７のロックが外れて板状体１１が送り出し方向に移動することはない。
【００４８】
前記収納ケース１内に収納した小型記憶媒体３０を取り出す場合、先ず、ケース要素２，３を閉じたままで、ケース要素２の凹欠部２Ａ内においてリッド７の自由端に指の爪先きを掛けて外側に引き上げれば、その両端の爪部９が切欠部６ａの両側縁から外れる。
【００４９】
そこで、ケース要素２の切欠窓５に露出している板状体１１の押圧操作部１６を指の腹で送り出し方向に軽く押圧すれば、前記屈伸可能なヒンジ部１２を構成する連接片１４，１５が図４，図５の（Ａ）に示す状態から（Ｂ）に示す状態にケース要素３の天蓋部３ａの側縁から浮き上がるように伸張して、板状体１１が小物品送り出し方向に移動する。
【００５０】
このとき、板状体１１は前記連接片１４，１５の伸張作動と、ガイドレール機構２０のガイド作用とにより、前記小物品送り出し方向にスムーズに平行移動する。
【００５１】
これにより、小型記憶媒体３０はその両側縁が一対のガイドリブ１９の内側面を摺動して収納ケース１の搬出口６から前記リッド７を跳ね除けて収納ケース１外に搬出されるから、これを指先きで簡単に取り出すことが可能となる。
【００５２】
以上の構成からなる本実施形態の収納ケース１によれば、板状の小物品である小型記憶媒体３０を小物品送り出し手段１０上に載置した状態で、その両側縁を一対のガイドリブ１９で挟持した状態にして収納ケース１内に確実に保持して保管することができる。
【００５３】
そして、この小型記憶媒体３０の取り出しに際しては、ケース要素２，３をいちいち開かなくても、収納ケース１の外側から小物品送り出し手段１０を一方向に押動するワンタッチ操作で該小型記憶媒体３０を収納ケース１の搬出口６からケース外に搬出できるから、これを指先きで簡単に取り出すことができて、利便性を高めることができる。
【００５４】
特に、本実施形態では前記小物品送り出し手段１０をケース要素３の天蓋部３ａの一側縁に複数の連接片１３，１４からなる屈伸可能なヒンジ部１２を介して連設した板状体１１として構成してあるので、これを展開した状態でケース要素２，３と共に一体に型成形することができてコスト的に有利に得ることができる。
【００５５】
しかも、前記板状体１１の押動に際しては前記ヒンジ部１２の連接片１３，１４の屈伸作用により、該板状体１１をケース要素３の天蓋部３ａと平行に移動することができて、小型記憶媒体３０の保持姿勢を維持した状態でスムーズな送り出しを行わせることができる。
【００５６】
また、板状体１１の棚部１７の後端に立上がり形成されたストッパー部１８は、前記小型記憶媒体３０の厚み寸法よりも高く形成してあるので、前記板状体１１が平行移動されることと相俟って小型記憶媒体３０を確実に搬出口６方向に送り出すことができる。
【００５７】
更に、この板状体１１はガイドレール機構２０により移動ガイドされると共に、前記天蓋部３ａに対して抜け止めされているので、前記送り出し移動をより一層スムーズに、かつ、安定して行わせることができる。
【００５８】
そして、更に本実施形態では、前記板状体１１の棚部１７とその後端に立上がったストッパー部１８とが、外径の大，小サイズが異なる小型記憶媒体３０Ａ，３０Ｂ，３０Ｃ用に該板状体１１の先端側から順に小サイズ用から大サイズ用にステップ状に変化して多段に形成されているので、外径サイズの異なる小型記憶媒体３０Ａ，３０Ｂ，３０Ｃの保管に対応できて、その利便性を高めることができる。
【００５９】
また、この板状体１１の多段構成に伴ってガイドリブ１９も、内側から径方向外側に向けて小サイズ用から大サイズ用にこの順で形成されているため、限られたケース内スペースで外径サイズの異なる小型記憶媒体３０Ａ，３０Ｂ，３０Ｃの保管に対応することができる。
【００６０】
更に、前記径方向内側のガイドリブ１９Ａまたは１９Ｂの上縁が、隣接する径方向外側のガイドリブ１９Ｂまたは１９Ｃに保持される上段側の小型記憶媒体３０Ｂまたは３０Ｃを載置してその摺動ガイドを兼ねているため、これら上段側に保管される小型記憶媒体３０Ｂまたは３０Ｃの保持と送り出しとを安定して行わせることができる。
【００６１】
なお、前記実施形態では、板状の小物品３０としてＳＤカードのような小型薄板状の小型記憶媒体を例示したが、この他の小型板状の小物品の保管用に利用できることは勿論である。
【００６２】
また、ケース要素２，３は薄肉のヒンジ部４を介して一体に連設したものを例示したが、これはケース要素２，３を別体の構成としたものであってもよい。
【符号の説明】
【００６３】
１…収納ケース
２，３…ケース要素
２ａ，３ａ…天蓋部
４…ヒンジ部
６…搬出口
１０…小物品送り出し手段
１１…板状体
１２…屈伸可能なヒンジ部
１３，１４…連接片
１６…押動操作部
１７…棚部
１８…ストッパー部
１９…ガイドリブ
２０…ガイドレール機構
３０…小型記憶媒体（板状の小物品）
【図１】
2011025975.tif 000003
【図２】
2011025975.tif 000004
【図３】
2011025975.tif 000005
【図４】
2011025975.tif 000006
【図５】
2011025975.tif 000007
【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
開閉可能な一対のケース要素からなる硬質合成樹脂製の収納ケースであって、
前記ケース要素の一方は、その内側に一方向に可動的に配設され、板状の小物品を載置して収納ケース外から一方向に押動されることにより、該板状の小物品を収納ケース外に搬出可能な小物品送り出し手段と、
前記小物品送り出し手段に載置された板状の小物品の、少くとも該小物品送り出し手段の移動方向と直交する方向の側縁に係止してこれを保持可能なガイドリブと、を備える一方、
前記収納ケースは、前記板状の小物品の送り出し方向前方に対応する側壁に、前記板状の小物品の搬出口を備え、
前記小物品送り出し手段は、前記一方のケース要素の天蓋部の一側縁に複数の連接片からなる屈伸可能なヒンジ部を介して一体に連設された板状体で構成され、
前記板状体は、前記屈伸可能なヒンジ部との連設部に隣接して収納ケース外に露出する押動操作部と、
前記押動操作部に連設されて前記板状の小物品を載置可能な棚部と、
前記棚部の後端に立上がり形成されて前記棚部上に載置された板状の小物品の端縁に係止するストッパー部と、を備え、
前記板状体が、前記屈伸可能なヒンジ部の屈伸作用により、前記天蓋部と平行に移動可能とされていることを特徴とする小物品の収納ケース。
【請求項２】
前記板状体のストッパー部が、前記棚部上に載置される板状の小物品の厚み寸法よりも高く形成されていることを特徴とする請求項１に記載の小物品の収納ケース。
【請求項３】
前記板状体の棚部とストッパー部とが、外径の大，小サイズが異なる板状の小物品をそれぞれ載置可能に、該板状体の先端部側から順に小サイズ用から大サイズ用にステップ状に変化して多段に形成されていることを特徴とする請求項２に記載の小物品の収納ケース。
【請求項４】
前記ガイドリブは、前記板状体の下段の棚部上に載置されるサイズの小さな板状の小物品用のガイドリブの外側に、前記下段の棚部に隣接する上段の棚部上に載置されるサイズの大きな板状の小物品用のガイドリブが径方向にこの順に形成されていることを特徴とする請求項３に記載の小物品の収納ケース。
【請求項５】
前記径方向内側のガイドリブの上縁が、隣接する径方向外側のガイドリブに保持される上段側の板状の小物品を載置してその摺動ガイドを兼ねることを特徴とする請求項４に記載の小物品の収納ケース。
【請求項６】
前記板状体の下面と、前記一方のケース要素の天蓋部内面とに、相互に係合して板状体の一方向の移動を案内する抜け止めを兼ねたガイドレール機構が一体成形されていることを特徴とする請求項１〜５の何れか１つに記載の小物品の収納ケース。
【手続補正２】
【補正対象書類名】明細書
【補正対象項目名】０００７
【補正方法】変更
【補正の内容】
【０００７】
本発明の小物品の収納ケースは、開閉可能な一対のケース要素からなる硬質合成樹脂製の収納ケースであって、前記ケース要素の一方は、その内側に一方向に可動的に配設され、板状の小物品を載置して収納ケース外から一方向に押動されることにより、該板状の小物品を収納ケース外に搬出可能な小物品送り出し手段と、前記小物品送り出し手段に載置された板状の小物品の、少くとも該小物品送り出し手段の移動方向と直交する方向の側縁に係止してこれを保持可能なガイドリブと、を備える一方、前記収納ケースは、前記板状の小物品の送り出し方向前方に対応する側壁に、前記板状の小物品の搬出口を備え、前記小物品送り出し手段は、前記一方のケース要素の天蓋部の一側縁に複数の連設片からなる屈伸可能なヒンジ部を介して一体に連設された板状体で構成され、前記板状体は、前記屈伸可能なヒンジ部との連設部に隣接して収納ケース外に露出する押動操作部と、前記押動操作部に連設されて前記板状の小物品を載置可能な棚部と、前記棚部の後端に立上がり形成されて前記棚部上に載置された板状の小物品の端縁に係止するストッパー部と、を備え、前記板状体が、前記屈伸可能なヒンジ部の屈伸作用により、前記天蓋部と平行に移動可能とされていることを主要な特徴としている。